(57)【要約】  本発明は、トイレ装置（１）が取り付けられる少なくとも１つの衛生領域（１４）を備えるキャンピングカー、モバイルホーム、または同様の走行もしくはレクリエーション車両（６）に関する。トイレ装置（１）は、少なくとも１つの座席要素（２）を備え、水なし洗浄作業を行う電流源（４）に接続される。
2020517413.tif 000002
【特許請求の範囲】
【請求項１】
トイレ装置（１）が配置される少なくとも１つの衛生領域（１４）を備え、前記トイレ装置（１）が少なくとも１つの座席要素（２）を備える、キャンピングカー、キャラバン、または同様の走行もしくはレクリエーション車両（６）であって、前記トイレ装置（１）は、それによって無水洗浄作業が行われ得る電流源（４）に接続されることを特徴とする、キャンピングカー、キャラバン、または同様の走行もしくはレクリエーション車両。
【請求項２】
前記トイレ装置（１）が、少なくとも１つの収集要素（３）を備えることを特徴とする、請求項１に記載のキャンピングカー、キャラバン、または同様の走行もしくはレクリエーション車両。
【請求項３】
前記トイレ装置（１）は、それによって排泄物または同様の排出物（７）が前記収集要素（３）に移送され得る少なくとも１つの容器（５）を備えることを特徴とする先行する請求項のいずれか一項に記載のキャンピングカー、キャラバン、または同様の走行もしくはレクリエーション車両。
【請求項４】
前記トイレ装置（１）は、それによって前記少なくとも１つの容器（５）が閉じられ得る少なくとも１つの閉鎖手段（８、８´）を備えることを特徴とする先行する請求項のいずれか一項に記載のキャンピングカー、キャラバン、または同様の走行もしくはレクリエーション車両。
【請求項５】
前記少なくとも１つの閉鎖手段（８、８´）が、少なくとも１つの加熱要素（９）を備え、好ましくは前記少なくとも１つの閉鎖手段（８、８´）および前記少なくとも１つの加熱要素（９）が、一体型アセンブリとして設計されることを特徴とする、先行する請求項のいずれか一項に記載のキャンピングカー、キャラバン、または同様の走行もしくはレクリエーション車両。
【請求項６】
前記トイレ装置（１）は、前記座席要素に配置される閉鎖手段（８、８´）の下の前記座席要素（２）に好ましくは配置される、少なくとも１つの光電気システム（２６）を備えることを特徴とする、先行する請求項のいずれか一項に記載のキャンピングカー、キャラバン、または同様の走行もしくはレクリエーション車両。
【請求項７】
前記電流源（４）が、前記閉鎖手段（８、８´）におよび／または前記加熱要素（９）に電気的に接続されることを特徴とする、先行する請求項のいずれか一項に記載のキャンピングカー、キャラバン、または同様の走行もしくはレクリエーション車両。
【請求項８】
前記閉鎖手段（８、８´）および／または前記加熱要素（９）が、好ましくはプラスチックから製造され、特にフィルムチューブとして設計される前記容器（５）のための分離手段として設計されることを特徴とする、先行する請求項のいずれか一項に記載のキャンピングカー、キャラバン、または同様の走行もしくはレクリエーション車両。
【請求項９】
前記座席要素（２）が、前記少なくとも１つの容器（５）のための収容手段として設計されることを特徴とする、先行する請求項のいずれか一項に記載のキャンピングカー、キャラバン、または同様の走行もしくはレクリエーション車両。
【請求項１０】
前記トイレ装置（１）が、好ましくはカバー（１８）に配置される少なくとも１つのセンサ要素（１２）を備えることを特徴とする、先行する請求項のいずれか一項に記載のキャンピングカー、キャラバン、または同様の走行もしくはレクリエーション車両。
【請求項１１】
前記座席要素（２）が、前記収集要素（３）に対して回転可能でありかつ／または旋回可能であることを特徴とする、先行する請求項のいずれか一項に記載のキャンピングカー、キャラバン、または同様の走行もしくはレクリエーション車両。
【請求項１２】
前記トイレ装置（１）が、少なくとも１つの制御ユニット（１３）および作動手段（１９）を備え、前記制御ユニット（１３）が、前記作動手段（１９）におよび前記電流源（４）に電気的に接続されることを特徴とする、先行する請求項のいずれか一項に記載のキャンピングカー、キャラバン、または同様の走行もしくはレクリエーション車両。
【請求項１３】
前記衛生領域（１４）が、少なくとも１つの戸棚（３５）を備え、前記トイレ装置（１）が、前記戸棚（３５）に配置されることを特徴とする、先行する請求項のいずれか一項に記載のキャンピングカー、キャラバン、または同様の走行もしくはレクリエーション車両。
【請求項１４】
前記トイレ装置（１）は、それによって前記トイレ装置（１）が上下方向に変位可能に動かせる少なくとも１つの移動手段（４３）を備えることを特徴とする、先行する請求項のいずれか一項に記載のキャンピングカー、キャラバン、または同様の走行もしくはレクリエーション車両。
【請求項１５】
前記トイレ装置（１）が、少なくとも１つのエネルギー蓄積器（４２）を備えることを特徴とする、先行する請求項のいずれか一項に記載のキャンピングカー、キャラバン、または同様の走行もしくはレクリエーション車両。
【請求項１６】
前記収集要素（３）が、引き出し（２４）を備え、前記収集要素（３）または前記引き出し（２４）が、少なくとも１つのセンサ要素（２０）を備えることを特徴とする、先行する請求項のいずれか一項に記載のキャンピングカー、キャラバン、または同様の走行もしくはレクリエーション車両。
【請求項１７】
前記トイレ装置（１）が、好ましくは前記座席要素（２）に配置される少なくとも１つの音発生器（２７）を備えることを特徴とする、先行する請求項のいずれか一項に記載のキャンピングカー、キャラバン、または同様の走行もしくはレクリエーション車両。
【請求項１８】
前記トイレ装置（１）が、１０°から１３５°、好ましくは３０°から１００°との間、特に好ましくは４５°から９０°との間にある角度範囲だけ床（５３）に対して、またはスタンド手段（３３）に対して回転可能であることを特徴とする、先行する請求項のいずれか一項に記載のキャンピングカー、キャラバン、または同様の走行もしくはレクリエーション車両。
【発明の詳細な説明】
【発明の詳細な説明】
【０００１】
［背景技術］
本発明は、請求項１の前文に記載の、キャンピングカー、キャラバン、または同様の走行もしくはレクリエーション車両に関する。
【０００２】
キャンピングカーまたはキャラバンなどは、従来技術からよく知られている。この種の走行もしくはレクリエーション車両は、従来、生活領域に加えて、とりわけトイレも配置される衛生領域を備える。
【０００３】
これに関連する欠点は、トイレが使用された後にそれを洗浄するために水を使用することである。この目的のために、水が、洗浄のために、すなわちトイレからの排泄物または同様の排出物を除去するために必要とされ、この水は、タンクに携帯されなければならない。それから生じる追加の負荷は、積み込みスペースおよび燃料消費量の増加を伴う場合がある。さらに、使用済み洗浄水を収容する対応する収集タンクが必要とされる。この点についてのさらなる欠点は、使用されたばかりの洗浄水が非常な悪臭を持っている場合があることである。最終的に、トイレ装置の洗浄のために水を使用することはまた、環境保護の点で問題がないわけではない。
【０００４】
本発明の目的は、冒頭に言及した欠点を除去することである。
この目的を達成するために、トイレ装置が配置される少なくとも１つの衛生領域を備え、トイレ装置が少なくとも１つの座席要素を備える、キャンピングカー、キャラバン、または同様の走行もしくはレクリエーション車両が提供される。
【０００５】
トイレ装置はそれによって無水洗浄作業が行われ得る電流源に接続されることが本発明にとって不可欠である。
このタイプのトイレ装置は、排泄物または同様の排出物を除去するためのいかなる貯水部も必要としない。したがって、トイレを洗浄するために別々に水を携帯する手間を省くことができる。したがって、トイレ装置を洗浄するために備えられる水の代わりに使用され得るさらなる積み込みスペースが利用できる。また、トイレ装置を洗浄するために水を携帯することを省くことにより、負荷を低減することができ、したがって、いくつかの状況では、燃料が節約され得る。また、トイレ装置を洗浄するための水の節約は、環境保護に有益である。また、無水洗浄、すなわち排泄物または同様の排出物の無水除去は、特別な洗浄化学薬品が携帯され使用される必要がないという利点を有し、したがってコスト節減が生じ得、環境保護へのさらなる貢献が行われ得る。
【０００６】
本発明の特に好ましい改良は、トイレ装置が少なくとも１つの収集要素を備えるように準備することができる。それによって、特に衛生的なトイレ装置が提供され得る。
本発明の有利な改良においては、トイレ装置は、それによって排泄物または同様の排出物が収集要素に移送され得る少なくとも１つの容器を備えることが実現され得る。
【０００７】
排泄物または同様の排出物は、それによって完全に、および特に痕跡を残すことなく除去され得る。また、容器の使用は、排泄物または他の排出物によって引き起こされる不快な臭いを打ち消すために有利であり得る。
【０００８】
本発明のさらに有利な改良においては、
トイレ装置は、それによって少なくとも１つの容器が閉じられ得る少なくとも１つの閉鎖手段を備えることが実現され得る。開閉可能な容器は、排泄物、尿または同様の排出物の出現を防止する。また、開閉可能な容器は、特に簡単に離れて移動されることができ、加えて、臭気を打ち消すことができる。
【０００９】
本発明のさらなる改良は、トイレ装置が少なくとも１つの加熱要素を備えるように準備することができる。それによって、容器は、熱を使って材料結合によって閉じられ得る。また、このタイプの閉鎖は、接合と考えられ得る。容器は、それによって非常に確実に永久的に閉じられ得る。また、これは、排泄物または同様の排出物が容器から出てくることができることを防止し得る。したがって、ユーザーが排出物などと直接接触し得ることを防止することができる。
【００１０】
さらなる改良においては、本発明は、少なくとも１つの加熱要素および少なくとも１つの閉鎖手段が一体型アセンブリとして設計されるように準備することができる。
この種のアセンブリは、トイレ装置の特にコンパクトな外形寸法を可能にすることができ、その結果として、トイレ装置は、非常に省スペースに製造され得る。これは、キャンピングカー、キャラバンなどの配置計画に良い効果を与えることができる。本発明の有利な開発は、トイレ装置が少なくとも１つの搬送手段を備えるように準備することができる。搬送手段は、例えば、排泄物または同様の排出物で満たされ、または満たされている容器の搬送を可能にすることができる。したがって、これは、簡単な方法でこの種の容器を離れて移動させる簡単な可能性を構成する。
【００１１】
有利な改良においては、本発明は、トイレ装置が座席要素に配置される閉鎖手段の下の座席要素に好ましくは配置される、少なくとも１つの光電気システムを備えるように準備することができる。
【００１２】
これにより、たとえば、容器内で物体を検出することができる。したがって、トイレ装置の特に信頼できる機能が可能となり得る。さらに、いかなる物体も、特に排泄物または同様の排出物も容器から出てくることができず、または閉鎖領域を越えて突出することができないことが特に可能となり得る。さらに、ユーザーは、排泄物または同様の排出物と直接接触することを阻まれ得る。
【００１３】
本発明のさらなる有利な開発は、閉鎖手段が少なくとも２つの保持手段を備えるように準備することができる。それによって、容器の確実な閉鎖が可能となり得る。
本発明は、電流源が閉鎖手段および／または加熱要素に電気的に接続されるように準備することができる。これは、確実な操作性、およびしたがって、排泄物またはその他の排出物の確実な除去を可能にする。
【００１４】
本発明の開発は、閉鎖手段および／または加熱要素が分離手段として設計されるように準備することができる。したがって、有利な方法においては、さらなる構成要素は、例えば排泄物で満たされている容器を除去するために必要とされない。
【００１５】
本発明は、閉鎖手段および／または加熱要素が好ましくはプラスチックから製造され、特にフィルムチューブとして設計される容器のための分離手段として設計されるように準備することができる。排泄物で満たされた容器は、分離手段によって簡単な方法で取り外され得る。
【００１６】
本発明は、好ましい改良においては、加熱要素が閉鎖手段としておよび分離手段として設計されるように準備することができる。したがって、容器を閉鎖し、容器を例えばさらなる未使用の容器から取り外すことが、構成要素の使用によって可能となり得る。
【００１７】
本発明の有利な改良においては、したがって、容器はプラスチックから製造され、特にフィルムチューブとして設計されることが実現され得る。
プラスチックから製造されるこのタイプの構成要素は、十分に高い安定性を有し、したがって、容器からの意図しない排泄物の出現が防止され得る。さらに、フィルムチューブの形をした容器は、コスト効率よく生産され得る。さらに、フィルムチューブは、トイレ装置の多数の連続使用を可能にし得る。また、従来技術からのトイレ装置での洗浄に使用される水に対するフィルムチューブの重量の低減は、ここで利点と考えられるべきである。
【００１８】
加えて、本発明の有利な改良は、座席要素が少なくとも１つの容器の収容手段として設計されるように準備することができる。これは、排泄物、排出物などのための容器を提供する特に省スペース化の可能性となる。
【００１９】
本発明の有利な開発においては、トイレ装置が少なくとも１つのセンサ要素を備えることが実現され得る。これは、トイレ装置の信頼性を大幅に向上することができる。排泄物が容器の中に完全にあるかどうか、および洗浄作業がそれゆえに完全に行われているかどうかをセンサ要素が感知し得るので、トイレ装置のユーザーは、洗浄作業後に排泄物、排出物などに直接接触することができないことが特に保証され得る。また、特に衛生的なトイレ装置が、結果として提供され得る。
【００２０】
これは、容器内に配置される物体、例えば排泄物または同様の排出物が検出され得るように少なくとも１つのセンサ要素が配置される場合に特に有利である。好ましくは、本発明は、少なくとも１つのセンサ要素が撮像装置、例えばカメラとして、または画像センサとして設計されるように準備することができる。さらに、このタイプのセンサ要素は、コスト効率よく入手できる。
【００２１】
洗浄作業後、すなわち容器を閉じた後に、排泄物が容器から出てくる可能性があることが任意選択的に検出され、特に防止され得るので、これは、トイレ装置の特に信頼できる機能を可能にすることができる。さらに、容器が閉じられると排泄物が閉鎖領域に配置されるように、排泄物が容器の中に配置されているかどうかを検出しまたは感知することができる。したがって、特に、排泄物が容器内に不完全に配置され、または洗浄作業が不完全に行われることを回避することができるので、高度な衛生状態を実現するトイレ装置を提供することもできる。
【００２２】
本発明のさらに有利な改良においては、座席要素が収集要素に対して回転可能であることが実現され得る。
したがって、トイレ装置を用いる特に省スペース化の可能性が、構造的に簡単な方法で提供される。これはまた、異なる部屋構成に関して柔軟に使用できるトイレ装置の提供を可能にする。
【００２３】
加えて、本発明の有利な改良は、トイレ装置が少なくとも１つの制御ユニットおよび作動手段を備えるように準備することができ、制御ユニットは作動手段におよび電流源に電気的に接続される。
【００２４】
これは、まず第１に、トイレ装置の特に便利な操作を可能にする。第２に、制御ユニットは、洗浄作業を行うための、トイレ装置に配置される構成要素、例えば閉鎖手段および／または加熱要素および／または分離手段の制御によって例えば容器の中に排泄物が確実に密閉されることができることを可能にし得る。したがって、特に衛生的なトイレ装置が提供され得る。
【００２５】
本発明の文脈内で、また、制御ユニットは、加熱要素におよび／または少なくとも１つの閉鎖手段におよび／またはセンサ要素におよび／または光電気システムに電気的に接続されることが実現され得る。したがって、トイレ装置は、閉鎖手段のおよび／またはセンサ要素のおよび／または光電気システムの制御によって確実に操作され得る。特に、この種の制御によって、不完全な洗浄作業が行われ得るのを防止することができる。それによって、特に衛生的なトイレ装置が提供される。
【００２６】
本発明のさらなる改良は、衛生領域が少なくとも１つの戸棚を備えるように準備することができ、トイレ装置は戸棚に配置される。これは、キャンピングカー、キャラバンなどにトイレ装置を収容する、さらなる特に省スペース化を構成する。そのうえ、本発明は、トイレ装置が戸棚に延長可能に配置されるように準備することができる。これは、必要なときにトイレ装置を迅速に使用することができるという簡単な可能性を構成する。
【００２７】
本発明のさらなる有利な改良においては、トイレ装置は、それによってトイレ装置が上下方向に変位可能に動かせる少なくとも１つの移動手段を備えることが実現され得る。有利な方法においては、ユーザー、たとえば大人および子供などの個々のニーズが考慮され得る。
【００２８】
加えて、本発明は、トイレ装置が移動手段に対して旋回可能であるように準備することができる。ユーザーのさらなる個々のニーズがまた、それによって考慮され得る。また、トイレ装置がキャンピングカー、キャラバンなどに特に省スペース化の方法で配置され得ることが可能となり得る。
【００２９】
本発明はまた、トイレ装置が少なくとも１つのエネルギー蓄積器を備えるように準備することができる。これの特別な利点は、電流源が一時的にせよ利用できない場合に、トイレ装置自体は使用され得ることである。また、トイレ装置の使用は、例えばキャンピングカーまたはキャラバンなどが特に運転モードにおいて電源から遠く離れて位置している場合にも可能である。
【００３０】
したがって、本発明の改良においては、電流源がエネルギー蓄積器、特に蓄電池として設計されることが実現され得る。有利な方法においては、トイレ装置は、電源とは無関係に操作され得る。したがって、エネルギー蓄積器は、トイレ装置の使用に関して柔軟性の向上を可能にし得る。
【００３１】
本発明のさらなる改良においては、トイレ装置はカバーを備え、カバーは少なくとも１つのセンサ要素を備えることが実現され得る。カバーは、トイレ装置を損傷から保護することができる。また、例えば、トイレ装置がカバーによって閉じられることにより、物体が意図せずにトイレ装置に入るのを防ぐことができる。また、閉塞カバーは、トイレ装置からの不快な臭気の漏れに対抗することができる。
【００３２】
カバーに配置されるセンサ要素は、トイレ装置の信頼できる機能を可能にし得る。例えば、排泄物が容器内に完全に配置され、ユーザーがこの種の排泄物と直接接触し得るように容器から漏れる、または出てくることができないかどうかが判定され得る。
【００３３】
そのうえ、本発明は、収集要素が引き出しを備えるように準備することができ、収集要素または引き出しは、少なくとも１つのセンサ要素を備える。引き出しにより、例えばその中に位置しており、排泄物または同様の排出物で満たされている容器が、特に簡単な方法で取り外されることができるようになる。センサ要素を備える引き出しは、例えば、引き出しがトイレ装置または収集要素に配置されないかまたは正しく配置されない場合は、トイレ装置の操作が妨げられることによって、トイレ装置の信頼性を向上させることができる。
【００３４】
また、本発明は、トイレ装置が好ましくは座席要素に配置される少なくとも１つの音発生器を備えるように準備することができる。
例えば、万一不十分な量の容器、または全く容器が利用できないとしても、音響警告信号が音発生器によって出力され得る。それによって、トイレ装置の信頼性が向上され得る。この種の音発生器は、たとえば、拡声器またはブザーとして設計され得る。
【００３５】
本発明の文脈内で、無水洗浄は、排泄物または同様の排出物を容器に移送し、電流によって前記容器を閉じることによってこの排泄物または同様の排出物を除去することを意味すると理解され得る。
【００３６】
また、本発明は、トイレ装置が安全スイッチを備えるように準備することができる。したがって、トイレ装置の即時のスイッチオフが、例えば緊急時には可能となり得る。このタイプのトイレ装置は、さらに高い安全度を持つ。
【００３７】
本発明は、図面を参照して下記に、より詳細に説明されることになる。本発明のさらなる本質的な特徴および利点は、図面およびその説明でここに明らかにされるであろう。
【図面の簡単な説明】
【００３８】
【図１】上面視における従来技術による走行もしくはレクリエーション車両の概略図である。
【図２】キャンピングカー、キャラバン、または同様の走行もしくはレクリエーション車両の衛生領域の切り抜きを示す図である。
【図３】正面視におけるトイレ装置の概略詳細図である。
【図４】背面視における図３に示されるトイレ装置の概略図である。
【図５】断面視におけるトイレ装置のさらなる概略図である。
【図６】側面視における図５に示されるトイレ装置の概略図である。
【図７】トイレ装置の改良の機能原理の概略図である。
【図８】本発明のさらなる改良の機能原理の概略図である。
【図９】トイレ装置のさらなる例示的な実施形態の概略図である。
【図１０】図９に示されるトイレ装置のさらなる概略図である。
【図１１】トイレ装置のさらなる例示的な実施形態の概略図である。
【図１２】トイレ装置のさらなる例示的な実施形態の概略図である。
【図１３】図１２に示されるトイレ装置のさらなる説明図である。
【図１４】概略図に関してトイレ装置のさらなる例示的な実施形態を示す図である。
【図１５】概略図に関してトイレ装置のさらなる例示的な実施形態を示す図である。
【図１６】図１５に示されるトイレ装置のさらなる説明図である。
【図１７】概略図に関してトイレ装置のさらなる例示的な実施形態を示す図である。
【図１８】図１７に示されるトイレ装置のさらなる説明図である。
【図１９】図１７に示されるトイレ装置のさらなる説明図である。
【図２０】概略図に関してトイレ装置のさらなる例示的な実施形態を示す図である。
【図２１】図２０に示されるトイレ装置のさらなる説明図である。
【図２２】図２０に示されるトイレ装置のさらなる説明図である。
【図２３】図１１に示されるトイレ装置のさらなる概略図である。
【図２４】図２３ａから図２３ｃによるトイレ装置のさらなる概略上面図の説明図である。
【発明を実施するための形態】
【００３９】
図１は、キャンピングカー６のレイアウトを概略図で示している。既知の方法で示されているキャンピングカー６は、運転手の領域１５、就寝領域１６および生活領域１７を備える。また、個々のユーザー要求に応じて、図１に示されるレイアウトからの逸脱が発生する場合がある。
【００４０】
さらに、図示されているキャンピングカー６は、衛生領域１４を備える。衛生領域１４は、トイレ装置１を備える（また図２を参照されたい）。
例えば特に人体からの排泄物または他の排出物を除去するための洗浄作業が水によって行われる従来技術のトイレ装置とは対照的に、トイレ装置１は、電源４に接続されている（たとえば、図３を参照されたい）。それによって、水を用いることなく洗浄作業を行うことが可能となり得る。したがって、無水洗浄作業が、トイレ装置１を使用することによって可能である。これはまた、排泄物、排出物などが水を使用することなく、すなわち無水の方法で排除されるように述べられ得る。
【００４１】
図３は、それによって無水洗浄作業が行われ得る、トイレ装置１の概略図を示している。図３による例示的な実施形態においては、トイレ装置１は、座席要素２および収集要素３を備える。例示的な実施形態においては、トイレ装置１は、さらにカバー１８、およびカバー１８に配置されるセンサ要素１２を備える。また、本発明は、トイレ装置１がセンサ要素を備えないカバー１８を備えるように準備することもできる。カバー１８は、座席要素２を覆うように設けられる。これは、特に、トイレ装置１が使用されていないときは必ず設けられる。
【００４２】
電流源４は、バッテリ、例えば自動車用バッテリとして図３に概略的に示されている。具体的に示されていない方法においては、本発明は、トイレ装置１がキャンピングカー、キャラバンなどの電流供給部に、すなわちその電気システムに接続されることができるように準備することができる。
【００４３】
示される例示的な実施形態においては、トイレ装置１は、電流源４にも作動手段１９にも電線路２５、２５´を介して電気的に接続される。トイレ装置１は、作動手段１９を介してここで操作される（また、図７ａから図７ｅ、および図８ａから図８ｅを参照されたい）。
【００４４】
トイレ装置１が、スタンド手段３３を備えることがさらに示されている。具体的に示されていない方法においては、本発明は、制御ユニット（また、この目的のために図１４を参照されたい）がスタンド手段３３に配置されるように準備することができ、その制御ユニットは、トイレ装置１、またはトイレ装置１を使用するための個々のパラメータを制御するために使用され得る。
【００４５】
図３に示されるトイレ装置１は、後側２２に配置される取り付け要素２３を備える。取り付け要素２３により、例えばキャンピングカーのトイレ装置１が特にこのキャンピングカーに配置される衛生領域１４に取り付けられることができる。本発明の文脈内で、取り付け要素２３はまた、設置架台と考えられ得る。
【００４６】
例示的な実施形態においては、センサ要素１２は、少なくとも１つのカメラおよび／または少なくとも１つのＬＥＤを備える。
センサ要素１２は、トイレ装置１の容器５の中にある物体を検出することができる、物体を検出するための手段と考えられ得る（例えば、図７ａを参照されたい）。
【００４７】
ここで、センサ要素１２がセンサ要素１２によって送信されるデータに応じてトイレ装置１のそれに対応する制御を可能にしまたは引き受けることができる制御ユニット（図１４参照されたい）に感知データを送信するように対策が講じられ得る。
【００４８】
したがって、センサ要素１２は、容器の中にある物体の検出を可能にする（例えば、図５を参照されたい）。この種の物体は、たとえば、排泄物などであってもよい。
本発明の文脈内で、また、トイレ装置１は、トイレ装置のための電流を提供するためにキャンピングカー、キャラバンなどのソケットに差し込まれ得るプラグ（例えば、図１２をまた参照されたい）を備えることが実現され得る。
【００４９】
したがって、本発明の文脈内で、電流源は、６Ｖから２４Ｖの電圧範囲内、好ましくは１２Ｖ、または２００Ｖから２３０Ｖの電圧範囲内の電圧を有することが実現され得る。
図４は、トイレ装置１の概略図を背面図で示している。ここで、トイレ装置１は引き出し２４を備えることが明らかである。引き出し２４は収集要素３の中に配置されることが示されている。
【００５０】
したがって、本発明はまた、トイレ装置１の収集要素３が少なくとも１つの引き出し２４を備えるように準備することもできる。
ここで、トイレ装置１は、引き出し２４が後側２２から収集要素３またはトイレ装置１に挿入されまたはこれから取り外され得るように構成される。また、本発明の文脈内で、後側２２はキャンピングカー、キャラバンなどの壁（具体的には図示せず）に配置されることがここで実現され得る。したがって、引き出し２４は、キャンピングカー、キャラバンなどのフラップを通して外側からそれ自体知られている方法で挿入されまたは取り外され得る。
【００５１】
また、トイレ装置１はエネルギー蓄積器４２を備えることが図４から明らかである。例示的な実施形態においては、エネルギー蓄積器４２は、特に美観上の理由から後側２２に配置される。また、エネルギー蓄積器４２は、蓄電池またはバッテリと考えられ得る。
【００５２】
図５は、トイレ装置１の概略図を断面図で示している。ここで、トイレ装置１は少なくとも１つの容器５を備えることは明らかである。ここで、排泄物または同様の排出物７は、容器５によって収集要素３に移送され得ることが実現される（例えば、図７ａから図７ｅ、または図８ａから図８ｅもまた参照されたい）。
【００５３】
本発明はまた、トイレ装置の洗浄または洗浄作業が排泄物または同様の排出物がある容器の閉鎖、特に接合によって行われるように考えられ得る。
例示的な実施形態においては、座席要素２は、収容空間１１を備える。フィルムチューブの形をした容器５は、収容空間に配置される。
【００５４】
また、座席要素２は、容器５の収容手段として設計されることが図５から明らかである。
本発明の文脈内で、座席要素２はセンサ要素４４を備えることが実現され得る。このタイプのセンサ要素４４は、例えば、十分な量の容器５が利用できるかどうかを感知することができる。
【００５５】
例示的な実施形態においては、トイレ装置１は、座席要素２に配置される音発生器２７を備える。音発生器２７は、拡声器であると理解され得る。音発生器２７は、万一容器５の量がトイレ装置１をまだあまり使用しない場合にのみ十分であるとしても、音響信号が出力されるように提供され得る。
【００５６】
万一ユーザーによって予め決められた制限値に到達し、またはそれに達しないとしても、音響警告信号が出力されるように対策が講じられ得る。したがって、音発生器２７は、容器５の在庫が少ないことに関して情報を迅速に提供する警告手段であると理解され得る。したがって、ユーザーは、容器５がもはや存在しないため起こり得る生理的欲求に応答することができないことを免れる。
【００５７】
また、トイレ装置１は閉鎖手段８、８´を備えることが図５から明らかである。容器５は、前記閉鎖手段によって閉鎖され得る。本発明の文脈で、閉鎖手段８、８´はまたローラであると理解され得る。本発明の文脈内で、閉鎖手段８は上部ローラであり、閉鎖手段８´は下部ローラであると理解され得る。本発明の範囲内で、閉鎖手段８、８´は、シリンダのように設計され得る。
【００５８】
閉鎖手段８、８´は、加熱要素９を備えることができる。したがって、容器５は、熱を使って閉鎖され得る。したがって、例えば、容器５は、加熱要素９によって生じる熱による接合によって完全に閉じられるプラスチック材料から成ることが実現され得る。したがって、容器５の可能な中身、例えば排泄物は、閉鎖または接合などの後には容器５から漏れることができない。また、本発明は、閉鎖手段が加熱要素として設計されるように準備することができる。
【００５９】
本発明の範囲内で、少なくとも閉鎖手段８、８´および／または加熱要素９は制御ユニットによって制御されることが実現される（図１４を参照されたい）。
例示的な実施形態においては、トイレ装置１は、光バリアとも呼ばれることができ、座席要素に配置される閉鎖手段８、８´の下の座席要素２に配置される少なくとも１つの光電気システム２６を備える（また、図７ａから図７ｅ、および図８ａから図８ｅを参照されたい）。本発明の文脈内で、収集要素３が座席要素２の下に配置されるという事実は、このことについての説明として使用され得る。
【００６０】
本発明はまた、トイレ装置１が少なくとも１つの閉鎖手段８、８´の下方に、かつ／または２つの閉鎖手段８、８´の間に配置される少なくとも１つの光電気システム２６を備えるように準備することができる。
【００６１】
光電気システム２６は、ここで閉鎖手段８の下に、または閉鎖手段８、８´の間に配置される。
図６は、図５に示されるトイレ装置１の概略図を側面図で示している。トイレ装置１は、引き出し２４に配置されるさらなるセンサ要素２０を備えるということが理解できる。引き出し２４が排泄物または同様の排出物７で満たされる容器５の収容を可能にする位置にあるかどうか、センサ要素２０によって感知され得る（また、例えば図７ａから図７ｅ、および図８ａから図８ｅを参照されたい）。
【００６２】
さらに、トイレ装置１はカバー１８を備えるということが理解できる。前記カバー１８はまた、トイレの蓋であると理解され得る。例示的な実施形態においては、カバー１８は、トイレ装置１の上に関節式に配置される。この目的のために、トイレ装置１は、カバー１８におよび座席要素２に接続され、または接続可能であるヒンジ１０を備える。
【００６３】
具体的に示されていない方法においては、ヒンジ１０はデータを制御ユニット（例えば、図１４を参照されたい）に送信するセンサ要素を備えることが本発明の範囲内で実現されることができ、このデータにより、カバー１８が位置する位置について結論が引き出されるようになっており、特にカバー１８が座席要素２を覆うか、またはそれを覆わないかどうかが判定され得る。
【００６４】
これに関連して、座席要素２を覆うカバー１８が、非作動状態であるということも理解され得る状態を示すことが説明として提供され得る。カバー１８の位置は、カバー１８に配置されるセンサ要素１２の機能に関して効果を持つ場合もある。
【００６５】
トイレ装置１のさまざまな改良の機能原理の概略図が、それぞれの場合に図７ａ〜図７ｅ、および図８ａ〜図８ｅに提示されている。
これに関連して、排泄物または同様の排出物７が容器５の中にある、または位置していることが図７ａにおいて第１のステップ２８に示されている。ここで、カバー１８は座席要素２を閉じていないということが理解できる。このタイプの状況は、例えば、トイレ装置１が使用中でありまたは使用位置にある場合に存在し得る。
【００６６】
第２のステップ２９（図７ｂ）においては、カバー１８は座席要素２を覆い、したがって、物体、例えば排泄物７が容器５の中にあるかどうか、および閉鎖手段８、８´のまたは加熱要素９の使用による容器５の閉鎖が既に可能であるかどうかをカバー１８に配置されるセンサ要素１２がチェックすることができる。
【００６７】
第２のステップ２９（図７ｂ）においては、排泄物７が容器５の中にあること、および、さらなる排泄物７がもはや容器５に入り得ないそのような程度まで、閉鎖手段８が容器を既に収縮させまたは閉じていることが示されている。しかしながら、排泄物７´は、閉鎖手段８の上方に依然としてここに存在し、センサ要素１２によって感知される。前記感知は、破線による指示によって示されている。閉鎖手段８を開くことによって、排泄物７´は、第３のステップ３０（図７ｃ）において再び閉鎖状態で示される容器５の中に落下する。
【００６８】
第３のステップ３０（図７ｃ）においては、排泄物はすべて、容器５内に配置される。第３のステップ３０に示される前記状態は、完全な洗浄作業であると考えられ得る。
第４のステップ３１（図７ｄ）においては、閉鎖手段８によって既に保持されている容器５は、加熱要素９を使って閉じられる。ここで、加熱要素９は、プラスチック材料から製造される容器５を加熱する。
【００６９】
さらに、図７ｄにおいては、２つの閉鎖手段８、８´および加熱要素８が後退状態に配置されることが示されている。このような状態においては、容器５は閉じられている。これは、ここに、加熱要素９を使って接合によって、フィルムチューブとして設計される容器５の材料結合によって行われる。加熱要素９の上下に配置される２つの閉鎖手段８、８´を使って、まず第１に、容器５の保持が可能となり、第２に、さらなる未使用の容器５の前進が可能となる。これはまた、図８ｄに類似の方法で示されている。
【００７０】
したがって、容器５は、熱によって閉じられ、前記閉鎖はまた、接合と理解されることができる。容器５は、材料結合によって閉じられる。容器５のこの種の接合によって、容器５の非常に安定した閉鎖が達成され得、その結果として、例えば、容器５が離れて移動される際にこの容器５が開くことを、および、排泄物７が容器５から出てくることができることを防ぐこともできる。さらに、第４のステップ（図７ｄ）においては、排泄物７で満たされ、閉じられている容器５が、取り外される。容器５は、加熱要素９を使って取り外される。したがって、加熱要素９は分離手段として設計されることが実現され得る。
【００７１】
第５のステップ３２（図７ｅ）においては、容器５が離れて移動されることが実現される。前記離れて移動させることは、例えば、収集要素の中へ行われ得る（例えば、図９を参照されたい）。
【００７２】
したがって、無水洗浄は、排泄物７がある容器５が少なくとも閉じられ、任意選択的に収集要素３の中に移送されるように、本発明の文脈内で行われ得る。
本発明は、ここで、無水洗浄または容器の閉鎖が電流を使って行われるように準備することができる。このために、トイレ装置は、閉鎖手段および／または加熱手段を備える。
【００７３】
また、上述の無水洗浄の機能原理は、図８ａから図８ｅに例示として示されている。第１のステップ２８´（図８ａ）においては、排泄物７は、フィルムチューブとして設計される容器５に移行する。次いで、まず第１に容器５が閉じられるように、洗浄作業が行われる。これは、閉鎖手段８´によって第３のステップ３０´（図８ｃ）において行われる。容器５は、加熱要素９を使って接合される（第４のステップ３１´、図８ｄを参照されたい）。その後、容器５は、加熱要素９を使って取り外され（第５のステップ３２´、図８ｅを参照されたい）、任意選択的に離れて移動される。
【００７４】
例示的な実施形態においては、トイレ装置１は、光バリアとして設計される光電気システム２６を備える。光電気システム２６は、加熱要素９と閉鎖手段８´との間に配置される（例えば、図８ｂを参照されたい）。光電気システム２６は、ここで加熱要素９の下に配置される。
【００７５】
前記排泄物７´´の配置の結果として容器５が、例えば加熱要素９によって完全に閉じられ得ないように、排泄物、ここでは排泄物７´´が容器５の中に配置されているかどうか光電気システム２６によって感知され得る（第２のステップ２９´、図８ｂを参照されたい）。
【００７６】
容器５が完全に閉じられ得る状態が、第４のステップ３１´（図８ｄ）に示されている。また、前記第４のステップ３１´においては、光電気システム２６がいかなる排泄物７も感知することができないように排泄物７が容器５の中に完全に配置されることがここで明らかである。したがって、容器５の材料結合による容器５の閉鎖および任意の取り外しは、閉じられるべき領域にいかなる排泄物もない状態で行われ得る。したがって、容器５の特に確実な閉鎖が可能となる。特に、閉じられた容器５が開くことができることを防ぐことが可能である（図８ｅを参照されたい）。
【００７７】
トイレ装置１のさらなる例示的な実施形態が図９から図１１に提示されている。すなわち、本発明の範囲内で、収集要素３は、トイレ装置１の後側２２に配置される引き出し２４を備えることが実現され得る。これに関連して、引き出し２４は、フラップ（図９）を通してキャンピングカー、キャラバンなどの外側から挿入されまたは取り外され得ることが実現される。
【００７８】
また、引き出しはトイレ装置の前側２１に配置されることが実現され得る（図１１）。このタイプの配置により、キャンピングカー、キャラバンなどの内側から排泄物で満たされた容器（たとえば、図７を参照されたい）の取り外しを可能にすることができる。この場合は、キャンピングカー、キャラバンなどの壁の切り抜きは必要でなく、したがって、生産コストが恐らく低減され得る。
【００７９】
また、本発明の範囲内で、座席要素２は収集要素３に対して回転可能であることが実現され得る（図１０）。これは、特にスペース条件が制限されている場合に特別な利点を持つことができる。
【００８０】
図１２および図１３による本発明のさらなる改良においては、トイレ装置１は、ここで折り畳み式の椅子脚として設計される複数のスタンド手段３３´、３３´´、３３´´´を備えることが実現され得る。折り畳まれた状態（図１３）においては、トイレ装置１はまた、キャンピングカー、キャラバンなどの外側に、柔軟な、特に省スペース化の方法で収容され得る。図１２による実施形態は、トイレ装置１が収集要素を全く有する必要がないことを示している。収集要素のないトイレ装置１は、特に費用効果が高く生産されることができ、また、トイレ装置の重量の低減を可能にする。
【００８１】
図１５および図１６によるさらなる例示的な実施形態においては、トイレ装置１は、衛生領域１４（図２を参照されたい）に配置される戸棚３５に配置されることが示されている。戸棚３５は、複数の収納区画３６、３６´、３６´´´  を備える。収納区画３６、３６´は、戸棚３５の上側３７の領域に配置される。
【００８２】
座席要素２は、戸棚３５の上部引き出し要素３９に配置される（図１５を参照されたい）。この場合は、図１５によるトイレ装置は、収集要素を備えない。したがって、トイレ装置の重量が、低減され得る。
【００８３】
収集要素３は、下部引き出し要素４０に配置され得る（図１６を参照されたい）。２つの引き出し要素３９、４０は、必要な場合に引き出され得る。したがって、非常に省スペース化したトイレ装置が提供される。座席要素２は、好ましくは、戸棚３５の下側３８に配置される。
【００８４】
したがって、本発明は、収集要素が戸棚の引き出しとして構成されるように準備することができる。
図１７から図１９によるさらなる実施形態においては、トイレ装置１は、それによってトイレ装置１が垂直に変位可能に動かせる少なくとも１つの移動手段４３を備える。
【００８５】
これに関連して、図１７は、座席要素２および収集要素３が下部領域４５に配置される状態を示している。前記状態は、動作していない状態であると理解され得る。トイレ装置１は、このために折り畳まれた状態にある。このために、収集要素３は、移動手段４３に接続可能なヒンジ４１を備える。
【００８６】
第１の使用位置４６（図１８を参照されたい）においては、トイレ装置１は、移動手段４３に沿って可動である。個々の要求に応じて、座席要素２および収集要素３は、上部領域４７と下部領域４５との間にある位置に可動であることが実現される。第１の使用位置４６は、特に、座るときにトイレ装置１が使用されるために提供される。また、第２の使用位置４７にあるトイレ装置１は、ヒンジ４１（図１７を参照されたい）によって下部領域４５の方向に可動であり、ロック可能である。このような第２の使用位置４７においては、トイレ装置１は立ちながら使用できることが可能となり得る。
【００８７】
さらなる例示的な実施形態においては、トイレ装置１は、ローラ４９、４９´、４９´´が配置され得る下部構造５０を備えることができる（図２０および図２１を参照されたい）。それによって、トイレ装置は転がすことができ、異なる場所でまたは異なる場所に、したがって特に柔軟な方法で使用され得る。
【００８８】
また、トイレ装置１は、ユーザーが保持することができるハンドル５２、５２´を備えることが実現され得る。この種のハンドル５２、５２´は、トイレ装置１の使用中または使用後の安全性の向上に貢献することができる。たとえば、ユーザーの転倒が防止され得る。
【００８９】
さらに、下部構造３２を備えるトイレ装置１は、下部構造３２に対して垂直に変位可能であることができ、このために、持上装置５１（図２１）を備えることができる。持上装置５１は、はさみ機構として設計され得る。特に、収集要素３または座席要素２は、ここで垂直に変位可能であり得る。トイレ装置１のユーザーの個々のニーズが、それによって考慮され得る。
【００９０】
さらなる改良においては、トイレ装置１はまた、ローラ４９、４９´、４９´´、および４９´´´を持つ下部構造３２、ならびに持上装置５１、さらに、傾斜装置５４を備えることができる（図２２を参照されたい）。柔軟な方法で使用できるトイレ装置１が、それによって提供され得る。また、ハンドル５２、５２´と組み合わさって、トイレ装置１には、例えば、身体障害者のために必要とされる起立補助装置と呼ばれるものが設けられ得る。
【００９１】
図２３ａから２３ｃによる本発明のさらなる改良においては、トイレ装置１は、スタンド手段３３に対して回転可能であるように設計されることが実現され得る。これに関連して、さらに、座席要素２および／または収集要素３は、スタンド手段３３に対して回転可能であることが実現され得る。したがって、例えばキャンピングカーのまたは衛生領域の限られたスペース条件の場合には、トイレ装置１への単純化された接近が可能となり得る。
【００９２】
また、本発明は、トイレ装置１がスタンド手段３３に対して回転可能であるように準備することができる。この場合は、最大４５°まで（図２４ｂ）と最大９０°まで（図２４ｃ）との間の角度でトイレ装置１の回転が行われ得る。本発明はまた、トイレ装置１が床５３（図２）に対して回転可能であるように準備することができる。
【００９３】
本発明は、トイレ装置が１０°から１３５°、好ましくは３０°から１００°との間に、特に好ましくは４５°から９０°との間にある角度範囲だけ床に対してまたはスタンド手段に対して回転可能であるように準備することができる。この種の回転可能なトイレ装置は、特に柔軟に使用され得る。
【符号の説明】
【００９４】
１  トイレ装置、２  座席要素、３  収集要素、４  電流源、５  容器、６  キャンピングカー、キャラバン、または同様の走行もしくはレクリエーション車両、７  排泄物（または同様の排出物）、７´，７´´  排泄物（または同様の排出物）、８，８´  閉鎖手段、９  加熱要素、１０  ヒンジ、１１  収容空間、１２  センサ要素、１３  制御ユニット、１４  衛生領域、１５  運転手の領域、１６  就寝領域、１７  生活領域、１８  カバー、１９  作動手段、２０  センサ要素、２１  前側（トイレ装置の）、２２  後側（トイレ装置の）、２３  取り付け要素、２４  引き出し要素、２５，２５´  電線路、２６  光電気システム、２７  音発生器、２８，２８´  第１のステップ、２９，２９´  第２のステップ、３０，３０´  第３のステップ、３１，３１´  第４のステップ、３２，３２´  第５のステップ、３３，３３´  スタンド手段、３３´´スタンド手段、３３´´´  スタンド手段、３４  プラグ、３５  戸棚、３６，３６´  収納区画、３６´´  収納区画、３６´´´  収納区画、３７  上側（戸棚３５の）、３８  下側（戸棚３５の）、３９  上部引き出し要素（戸棚３５の）、４０  下部引き出し要素（戸棚３５の）、４１  ヒンジ、４２  エネルギー蓄積器、４３  移動手段、４４  センサ要素、４５  （移動手段４３の）下部領域、４６  第１の使用位置、４７  （移動手段４３の）上部領域、４８  第２の使用位置、４９，４９´  ローラ、４９´´  ローラ、４９´´´  ローラ、５０  下部構造、５１  持上装置、５２，５２´  ハンドル、５３  床（衛生領域１４の）、５４  傾斜装置
【図１】
2020517413.tif 000003
【図２】
2020517413.tif 000004
【図３】
2020517413.tif 000005
【図４】
2020517413.tif 000006
【図５】
2020517413.tif 000007
【図６】
2020517413.tif 000008
【図７ａ）】
2020517413.tif 000009
【図７ｂ）】
2020517413.tif 000010
【図７ｃ）】
2020517413.tif 000011
【図７ｄ）】
2020517413.tif 000012
【図７ｅ）】
2020517413.tif 000013
【図８ａ）】
2020517413.tif 000014
【図８ｂ）】
2020517413.tif 000015
【図８ｃ）】
2020517413.tif 000016
【図８ｄ）】
2020517413.tif 000017
【図８ｅ）】
2020517413.tif 000018
【図９】
2020517413.tif 000019
【図１０】
2020517413.tif 000020
【図１１】
2020517413.tif 000021
【図１２】
2020517413.tif 000022
【図１３】
2020517413.tif 000023
【図１４】
2020517413.tif 000024
【図１５】
2020517413.tif 000025
【図１６】
2020517413.tif 000026
【図１７】
2020517413.tif 000027
【図１８】
2020517413.tif 000028
【図１９】
2020517413.tif 000029
【図２０】
2020517413.tif 000030
【図２１】
2020517413.tif 000031
【図２２】
2020517413.tif 000032
【図２３ａ）】
2020517413.tif 000033
【図２３ｂ）】
2020517413.tif 000034
【図２３ｃ）】
2020517413.tif 000035
【図２４ａ）】
2020517413.tif 000036
【図２４ｂ）】
2020517413.tif 000037
【図２４ｃ）】
2020517413.tif 000038
【国際調査報告】
2020517413.tif 000039
2020517413.tif 000040
2020517413.tif 000041
2020517413.tif 000042
2020517413.tif 000043
2020517413.tif 000044